(57)【要約】  本発明は開放制御が可能な開閉装置およびこれを具備する容器に関するもので、内容物が保管される容器本体に具備され、容器本体の開放に必要な回し部が開閉機構の外部面に形成されて容器本体の一端を開閉する開閉機構と、開閉機構の開閉作動と分離され、開閉機構の開閉に影響を与えず、回し部の作動を制御する回し制御部を通じて使用者の容器開放を制御することを特徴とする。
2017511770.tif 000002
【特許請求の範囲】
【請求項１】
容器本体に適用され、
前記容器本体の開閉に必要な回し部を具備した開閉機構と、前記回し部の作動を制御する回し制御部を含み、
前記回し部は、前記開閉機構の外部面に形成され使用者の接触操作時に回転が可能な構成であり、
前記回し制御部は、前記回し部の外部面に対して使用者が接近することを制御して前記回し部の作動を制限し、
前記回し制御部による前記回し部の作動制限によって前記開閉機構の開閉がなされないことを特徴とする、開閉装置。
【請求項２】
前記回し制御部は前記開閉機構の上側に設置されるカバーキャップを含み、
前記カバーキャップは、前記開閉機構の外周面に沿って形成されるものの、前記開閉機構の開閉作動と分離され、前記カバーキャップの作動だけで開閉機構は開閉されず、
前記カバーキャップは、前記開閉機構の外周面に沿って移動可能に設置されることを特徴とする、請求項１に記載の開閉装置。
【請求項３】
前記カバーキャップが前記開閉機構の回し部の一部または全部を覆った場合、前記回し部の作動が遮断され、
前記カバーキャップが、前記回し部が作動可能に露出するように移動する場合、前記回し部の作動を通じて前記容器本体が開放されることを特徴とする、請求項２に記載の開閉装置。
【請求項４】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面であることを特徴とする、請求項１に記載の開閉装置。
【請求項５】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面を含み、
前記回し制御部は前記カバーキャップが前記開閉機構の外周面に沿って前記カバーキャップの開放方向に移動すると、前記回し部に対する使用者の接近を制限して、前記回し部の作動を制限することを特徴とする、請求項２に記載の開閉装置。
【請求項６】
前記カバーキャップは前記開閉機構と連動して動作せず、
前記カバーキャップの作動だけでは前記開閉機構が開閉されないことを特徴とする、請求項２に記載の開閉装置。
【請求項７】
前記回し部は前記開閉機構の前記離隔外部面の下部側に位置することを特徴とする、請求項４または請求項５に記載の開閉装置。
【請求項８】
前記開閉機構の内部面に容器本体と結合される回し螺子部が形成されることを特徴とする、請求項１に記載の開閉装置。
【請求項９】
前記カバーキャップが昇降可能に形成されるガイド部を含み、
前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含み、
前記周溝と前記周段部とが互いに対応して差し込まれることを特徴とする、請求項３に記載の開閉装置。
【請求項１０】
前記カバーキャップは前記開閉機構に着脱できるように結合されることを特徴とする、請求項２に記載の開閉装置。
【請求項１１】
前記開閉機構の外壁が前記回し螺子部の下部に延びて形成される延長部を含み、
前記回し部は前記延長部の表面に形成されることを特徴とする、請求項８に記載の開閉装置。
【請求項１２】
前記カバーキャップが前記開閉機構の外周面で昇降可能にするガイド部を含むことを特徴とする、請求項２に記載の開閉装置。
【請求項１３】
前記カバーキャップが昇降可能に形成される前記ガイド部は、
前記開閉機構の外部面に形成される周溝と前記カバーキャップの内部面に形成される周段部を含むか、
前記開閉機構の外部面に形成される周段部と前記カバーキャップの内部面に形成される周溝を含むことを特徴とする、請求項１２に記載の開閉装置。
【請求項１４】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面を含むことを特徴とする、請求項１３に記載の開閉装置。
【請求項１５】
前記カバーキャップは前記開閉機構と連動して動作せず、
前記カバーキャップの作動だけでは前記開閉機構が開閉されないことを特徴とする、請求項１２に記載の開閉装置。
【請求項１６】
前記回し部は前記開閉機構の前記離隔外部面の下部側に位置することを特徴とする、請求項１４に記載の開閉装置。
【請求項１７】
前記開閉機構の内部面に容器本体と結合される回し螺子部が形成されることを特徴とする、請求項１２に記載の開閉装置。
【請求項１８】
前記開閉機構の外部面に形成される周溝と前記カバーキャップの内部面に形成される周段部を含むか、
前記開閉機構の外部面に形成される周段部と前記カバーキャップの内部面に形成される周溝を含み、
前記周溝と前記周段部とが互いに対応して差し込まれることを特徴とする、請求項１２に記載の開閉装置。
【請求項１９】
前記カバーキャップは前記開閉機構に分離可能に結合されるかまたは前記開閉機構に一体に具備されることを特徴とする、請求項１２に記載の開閉装置。
【請求項２０】
前記開閉機構の外壁が前記回し螺子部の下部に延びて形成される延長部を含み、
前記回し部は前記延長部の表面に形成されることを特徴とする、請求項１７に記載の開閉装置。
【請求項２１】
容器本体と、
前記容器本体に具備され前記容器本体の開閉を制御する開閉装置を含み、
前記開閉装置は、前記容器本体の開閉に必要な回し部を具備した開閉機構と、前記回し部の作動を制御する回し制御部を含み、
前記回し部は、前記開閉機構の外部面に形成されて使用者の接触操作時に回転が可能な構成であり、
前記回し制御部は、前記回し部の外部面に対して使用者が接近することを制御して前記回し部の作動を制限し、
前記回し制御部による前記回し部の作動制限によって前記開閉機構の開閉がなされないことを特徴とする、容器。
【請求項２２】
前記回し制御部は前記開閉機構の外部に設置されるカバーキャップを含み、
前記カバーキャップは、前記開閉機構の外周面に沿って形成されるものの、前記開閉機構の開閉作動と分離され、前記カバーキャップの作動だけで開閉機構は開閉されず、
前記カバーキャップは、前記開閉機構の外周面に沿って移動可能に設置されることを特徴とする、請求項２１に記載の容器。
【請求項２３】
前記カバーキャップが前記開閉機構の回し部の一部または全部を覆った場合、前記回し部の作動が遮断され、
前記カバーキャップが、前記回し部が作動可能に露出するように移動する場合、前記回し部の作動を通じて前記容器本体が開放されることを特徴とする、請求項２２に記載の容器。
【請求項２４】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面であることを特徴とする、請求項２１に記載の容器。
【請求項２５】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面を含み、
前記回し制御部は前記カバーキャップが前記開閉機構の外周面に沿って前記カバーキャップの開放方向に移動すると、前記回し部に対する使用者の接近を制限して、前記回し部の作動を制限することを特徴とする、請求項２２に記載の容器。
【請求項２６】
前記カバーキャップは前記開閉機構と連動して動作せず、
前記カバーキャップの作動だけでは前記開閉機構が開閉されないことを特徴とする、請求項２２に記載の容器。
【請求項２７】
前記回し部は前記開閉機構の前記離隔外部面の下部側に位置することを特徴とする、請求項２４または請求項２５に記載の容器。
【請求項２８】
前記開閉機構の内部面に容器本体と結合される回し螺子部が形成されることを特徴とする、請求項２１に記載の容器。
【請求項２９】
前記カバーキャップが昇降可能に形成されるガイド部を含み、
前記ガイド部は、前記開閉機構の外部面に形成される周溝と前記カバーキャップの内部面に形成される周段部を含むか、
前記開閉機構の外部面に形成される周段部と前記カバーキャップの内部面に形成される周溝を含み、
前記周溝と前記周段部とが互いに対応して差し込まれることを特徴とする、請求項２３に記載の容器。
【請求項３０】
前記カバーキャップは前記開閉機構に着脱できるように結合されることを特徴とする、請求項２２に記載の容器。
【請求項３１】
前記開閉機構の外壁が前記回し螺子部の下部に延びて形成される延長部を含み、
前記回し部は前記延長部の表面に形成されることを特徴とする、請求項２８に記載の容器。
【請求項３２】
前記カバーキャップが前記開閉機構の外周面で昇降可能にするガイド部を含むことを特徴とする、請求項２２に記載の容器。
【請求項３３】
前記カバーキャップが昇降可能に形成される前記ガイド部は、
前記開閉機構の外部面に形成される周溝と前記カバーキャップの内部面に形成される周段部を含むか、
前記開閉機構の外部面に形成される周段部と前記カバーキャップの内部面に形成される周溝を含むことを特徴とする、請求項３２に記載の容器。
【請求項３４】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面を含むことを特徴とする、請求項３３に記載の容器。
【請求項３５】
前記カバーキャップは前記開閉機構と連動して動作せず、
前記カバーキャップの作動だけでは前記開閉機構が開閉されないことを特徴とする、請求項３２に記載の容器。
【請求項３６】
前記回し部は前記開閉機構の前記離隔外部面の下部側に位置することを特徴とする、請求項３４に記載の容器。
【請求項３７】
前記開閉機構の内部面に容器本体と結合される回し螺子部が形成されることを特徴とする、請求項３２に記載の容器。
【請求項３８】
前記開閉機構の外部面に形成される周溝と前記カバーキャップの内部面に形成される周段部を含むか、
前記開閉機構の外部面に形成される周段部と前記カバーキャップの内部面に形成される周溝を含み、
前記周溝と前記周段部とが互いに対応して差し込まれることを特徴とする、請求項３２に記載の容器。
【請求項３９】
前記カバーキャップは前記開閉機構に分離可能に結合されるかまたは前記開閉機構に一体に具備されることを特徴とする、請求項３２に記載の容器。
【請求項４０】
前記開閉機構の外壁が前記回し螺子部の下部に延びて形成される延長部を含み、
前記回し部は前記延長部の表面に形成されることを特徴とする、請求項３７に記載の容器。
【発明の詳細な説明】
【技術分野】
【０００１】
本発明は開放制御が可能な開閉装置およびこれを具備する容器に関するもので、さらに詳細には内容物が保管される容器本体に具備され、容器本体の開放に必要な回し部が開閉機構の外部面に形成されて容器本体の一端を開閉する開閉機構と、開閉機構の開閉作動と分離され、開閉機構の開閉に影響を与えず、回し部の作動を制御する回し制御部を通じて使用者の容器開放を制御するための開放制御が可能な開閉装置およびこれを具備する容器に関するものである。
【背景技術】
【０００２】
一般的に、内容物を保管するための容器は容器本体および開閉可能な開閉装置で構成される。
【０００３】
このような容器は内容物を容器本体に入れた後、栓のような開閉機構を容器本体と結合させることによって密閉された状態で内容物を保管するのに使用される。
【０００４】
本明細書において、「小児」とは、「新生児」、「嬰児」、「子供」および「青少年」をすべて含む概念の単語として用いられる。
【０００５】
家庭で小児の手に届く位置にこのような容器が置かれてある場合、小児が容器本体から開閉機構を容易に分離した後、内容物を容器の外に取り出す場合が発生する。すなわち、一般的な容器は単純な構造の開閉機構が容器本体の上端部に締結されているため、小児であっても容器本体から開閉機構を容易に開けて内容物を取り出すことができる。
【０００６】
特に、内容物が薬品の場合、小児が開閉機構を開けて容器本体内に保管された薬を取り出して食べるなどの問題をもたらす恐れがある。
【０００７】
したがって、家庭ではこのような構造の容器を小児の手に届かない高いところに保管するなどの細心の注意が要求されているのが実情である。
【０００８】
また、心神耗弱の成人や高齢者の場合にも小児の場合と同様に問題点が発生する恐れがあり、容器の開閉時の操作が簡便かつ一定程度の集中度が要される機構が求められている。
【０００９】
商用化された圧迫後回す容器は使用が許された成人の場合にも操作が難しく、相当な努力と集中力が必要であり、成人が応急時に自分で応急薬品が入っている容器の開放ができず、事故が発生しており、より操作が簡便な機構が求められている。
【先行技術文献】
【特許文献】
【００１０】
【特許文献１】ＫＲ登録実用新案公報  Ｙ１  第２０−０３１８８６４（２００３．０７．０４．）
【発明の概要】
【発明が解決しようとする課題】
【００１１】
前述のような従来の問題点を改善するために提示される本発明の目的は、成長した成人と小児の指の長さの差による容器開閉装置の開閉操作性を異ならせ、小児の場合、栓のような開閉機構を開けようとする好奇心と欲求に対して容器の開放を難しくしたり、回し作動だけを起こさせたりすることにある。このように本発明は、小児が開閉機構を容易に開けることができないようにする開放制御が可能な開閉装置およびこれを具備する容器を提供するためのものである。すなわち、危険を正しく認知することができない幼児または小児の知能と力では容易に開閉することができない開閉機構を具備した、開放制御が可能な開閉装置およびこれを具備する容器を提供するためのものである。
【００１２】
成人と小児の成長による指の長さの差から、開閉機構の回し区間を設置して容器の開閉操作ができる年齢層を制限する方法を提供するためのものである。
【００１３】
本発明の他の目的は、開放制御が可能な開閉装置およびこれを具備する容器に係る開閉機構の構造が簡単で製作が容易であり、成人は平常時と応急時に簡便かつ安全に使用することができるようにする開放制御が可能な開閉装置およびこれを具備する容器を提供することにある。
【００１４】
本発明の他の目的は、開閉機構の操作を簡便かつ一定程度の集中度が要されるようにして、小児の場合のように問題点が発生し得る心神耗弱の成人や高齢者に容器開閉に対する正常な認知を通じて容器を開閉するようにする、開放制御が可能な開閉装置およびこれを具備する容器を提供することにある。
【課題を解決するための手段】
【００１５】
前記課題を改善するために、本発明は、容器本体に適用され、前記容器本体の開閉に必要な回し部を具備した開閉機構と、前記回し部の作動を制御する回し制御部を含み、前記回し部は、前記開閉機構の外部面に形成されて使用者の接触操作時に回転が可能な構成であり、前記回し制御部は、前記回し部の外部面に対して使用者が接近することを制御して前記回し部の作動を制限し、前記回し制御部による前記回し部の作動制限によって前記開閉機構の開閉がなされないこともある。
【００１６】
前記回し制御部は前記開閉機構の上側に設置されるカバーキャップを含み、前記カバーキャップは、前記開閉機構の外周面に沿って形成されるものの、前記開閉機構の開閉作動と分離され、前記カバーキャップの作動だけで開閉機構は開閉されず、前記カバーキャップは、前記開閉機構の外周面に沿って移動可能に設置され得る。
【００１７】
前記カバーキャップが前記開閉機構の回し部の一部または全部を覆った場合、前記回し部の作動が遮断され、前記カバーキャップが、前記回し部が作動可能に露出するように移動する場合、前記回し部の作動を通じて前記容器本体が開放され得る。
【００１８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面とすることができる。
【００１９】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含み、前記回し制御部は前記カバーキャップが前記開閉機構の外周面に沿って前記カバーキャップの開放方向に移動すると、前記回し部に対する使用者の接近を制限して、前記回し部の作動を制限することができる。
【００２０】
前記カバーキャップは前記開閉機構と連動して動作せず、前記カバーキャップの作動だけでは前記開閉機構が開閉しないこともあり得る。
【００２１】
前記回し部は前記開閉機構の前記離隔外部面の下部側に位置することができる。
【００２２】
前記開閉機構の内部面に容器本体と結合される回し螺子部が形成され得る。
【００２３】
前記カバーキャップが昇降可能に形成されるガイド部を含み、前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００２４】
前記カバーキャップは前記開閉機構に着脱できるように結合され得る。
【００２５】
前記開閉機構の外壁が前記回し螺子部の下部に延びて形成される延長部を含み、前記回し部は前記延長部の表面に形成され得る。
【００２６】
前記カバーキャップが前記開閉機構の外周面で昇降可能にするガイド部を含む。
【００２７】
前記カバーキャップが昇降可能に形成される前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含む。
【００２８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含む。
【００２９】
前記カバーキャップは前記開閉機構と連動して動作せず、前記カバーキャップの作動だけでは前記開閉機構が開閉しないこともあり得る。
【００３０】
前記回し部は前記開閉機構の前記離隔外部面の下部側に位置することができる。
【００３１】
前記開閉機構の内部面に容器本体と結合される回し螺子部が形成され得る。
【００３２】
前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００３３】
前記カバーキャップは前記開閉機構に分離可能に結合されるかまたは前記開閉機構に一体に具備され得る。
【００３４】
前記開閉機構の外壁が前記回し螺子部の下部に延びて形成される延長部を含み、前記回し部は前記延長部の表面に形成され得る。
【００３５】
本発明は、容器本体と、前記容器本体に具備され前記容器本体の開閉を制御する開閉装置を含み、前記開閉装置は、前記容器本体の開閉に必要な回し部を具備した開閉機構と、前記回し部の作動を制御する回し制御部を含み、前記回し部は、前記開閉機構の外部面に形成されて使用者の接触操作時に回転が可能な構成であり、前記回し制御部は、前記回し部の外部面に対して使用者が接近することを制御して前記回し部の作動を制限し、前記回し制御部による前記回し部の作動制限によって前記開閉機構の開閉がなされないこともある。
【００３６】
前記回し制御部は前記開閉機構の外部に設置されるカバーキャップを含み、前記カバーキャップは、前記開閉機構の外周面に沿って形成されるものの、前記開閉機構の開閉作動と分離され、前記カバーキャップの作動だけで開閉機構は開閉されず、前記カバーキャップは、前記開閉機構の外周面に沿って移動することができ得る。
【００３７】
前記カバーキャップが前記開閉機構の回し部の一部または全部を覆った場合、前記回し部の作動が遮断され、前記カバーキャップが、前記回し部が作動可能に露出するように移動する場合、前記回し部の作動を通じて前記容器本体が開放され得る。
【００３８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面であり得る。
【００３９】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含み、前記回し制御部は前記カバーキャップが前記開閉機構の外周面に沿って前記カバーキャップの開放方向に移動すると、前記回し部に対する使用者の接近を制限して、前記回し部の作動を制限することができる。
【００４０】
前記カバーキャップは前記開閉機構と連動して動作せず、前記カバーキャップの作動だけでは前記開閉機構が開閉しないこともあり得る。
【００４１】
前記回し部は前記開閉機構の前記離隔外部面の下部側に位置することができる。
【００４２】
前記開閉機構の内部面に容器本体と結合される回し螺子部が形成され得る。
【００４３】
前記カバーキャップが昇降可能に形成されるガイド部を含み、前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００４４】
前記カバーキャップは前記開閉機構に着脱できるように結合され得る。
【００４５】
前記開閉機構の外壁が前記回し螺子部の下部に延びて形成される延長部を含み、前記回し部は前記延長部の表面に形成され得る。
【００４６】
前記カバーキャップが前記開閉機構の外周面で昇降可能にするガイド部を含む。
【００４７】
前記カバーキャップが昇降可能に形成される前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含む。
【００４８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含む。
【００４９】
前記カバーキャップは前記開閉機構と連動して動作せず、前記カバーキャップの作動だけでは前記開閉機構が開閉しないこともあり得る。
【００５０】
前記回し部は前記開閉機構の前記離隔外部面の下部側に位置することができる。
【００５１】
前記開閉機構の内部面に容器本体と結合される回し螺子部が形成され得る。
【００５２】
前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００５３】
前記カバーキャップは前記開閉機構に分離可能に結合されるかまたは前記開閉機構に一体に具備され得る。
【００５４】
前記開閉機構の外壁が前記回し螺子部の下部に延びて形成される延長部を含み、前記回し部は前記延長部の表面に形成され得る。
【発明の効果】
【００５５】
本発明は開放制御が可能な開閉装置およびこれを具備する容器を提供することによって、小児が開閉機構を容易に開けないようにすることができる。
【００５６】
本発明は、危険を正しく認知することができない幼児または小児の知能と力では容易に開放することができない開閉機構であるものの、一度開閉機構の開放を試みた幼児や小児には開閉機構が開かず開放を難しくするか、開閉機構の外周部分を回転回し作動だけが起こるようにして遊戯機構のように感じさせる効果もある。
【００５７】
本発明は、心神耗弱の成人や高齢者の場合、小児の場合と同様に問題点が発生する恐れがあり、容器の開閉時に操作が簡便かつ一定程度の集中度が要される効果がある。
【００５８】
また、本発明は構造が簡単で製作が容易であり、正常の成人は簡便に使用することができるようにする効果がある。
【００５９】
幼児期を過ぎた青少年の場合、開閉機構の開閉を他の方法で実行することも可能であるが、まずは、指の長さの差で制限して、自覚させる効果がある。
【図面の簡単な説明】
【００６０】
【図１】本発明の第１実施例を示している図面で、全体斜視図ある。
【図２】本発明の第１実施例を示している図面で、全体断面図である。
【図３】本発明の第２実施例を示している図面で、全体斜視図である。
【図４】本発明の第２実施例を示している図面で、部分切開全体斜視図である。
【図５】本発明の第２実施例を示している図面で、分解断面図である。
【図６】本発明の第２実施例を示している図面で、結合断面図である。
【図７】本発明の第３実施例を示している図面で、部分切開全体斜視図である。
【図８】本発明の第３実施例を示している図面で、分解断面図である。
【図９】本発明の第３実施例を示している図面で、結合断面図である。
【図１０】本発明の第３実施例を示している図面で、使用状態を示している結合断面図である。
【発明を実施するための形態】
【００６１】
以下、添付された図面を参照して本発明に係る開放制御が可能な開閉装置およびこれを具備する容器の実施例を説明する。この過程において、図面に図示された線の太さや構成要素の大きさなどは説明の明瞭性と便宜上誇張して図示されていることもある。また、後述される用語は本発明での機能を考慮して定義された用語であって、これは作業者、運用者の意図または慣例によって異なり得る。したがって、このような用語に対する定義は本明細書全般にわたる内容に基づいて定められるべきである。
【００６２】
以下では、容器を立てた時に開閉機構が開閉される側を上端（または上側）として説明する。
【００６３】
図１および図２は本発明の第１実施例を図示した図面である。図１は第１実施例の全体斜視図で、図２は全体断面図である。本発明の第１実施例は内容物が保管される容器本体１１０と；容器本体１１０の一端を開閉する開閉機構１２０を含む容器であって、容器本体１１０の開放に必要な回し部１２２が開閉機構１２０の上部終端から離隔された開閉機構１２０の下部側に位置する開放制御が可能な開閉装置およびこれを具備する容器を開示する。
【００６４】
開閉機構１２０終端から回し部１２２までの距離が確保されれば、小児が手を使用して開閉機構１２０を回すことが難しくなり、また、成人の場合は若干の集中度が要される構成となる。開閉機構１２０の内部面に容器本体１１０と結合される回し螺子部１２１が形成され、回し螺子部１２１の外周面側に位置する回し部１２２は手に抵抗して回されやすい形状や材質であり得る。回し螺子部１２１の外周面側は容器本体１１０の開放に必要な回し部１２２となる。
【００６５】
開閉機構１２０の外壁は回し螺子部１２１の下に延びて延長部１２０ａを形成し、回し部１２２は延長部１２０ａに形成されることもある。
【００６６】
したがって、使用者が開閉機構１２０を回転させ回し螺子部１２１を外して容器本体１１０を開放したり、回し螺子部１２１を締めて容器本体１１０を閉めたりする。
【００６７】
特に、開閉装置１００は回し部１２２を具備した開閉機構１２０および回し制御部１０５を含む。
【００６８】
開閉機構１２０の回し部１２２は容器本体１１０の開閉に必要な構成である。
【００６９】
そして、回し制御部１０５は回し部１２２の作動を制御する役割をする。
【００７０】
このとき、回し部１２２は開閉機構１２０の外部面に形成されて使用者の接触操作時に回転が可能な構成である。
【００７１】
そして、回し制御部１０５は、回し部１２２の外部面に対して使用者が接近することを制御して回し部１２２の作動を制限し、回し制御部１０５による回し部１２２の作動制限によって開閉機構１２０の開閉がなされないようにする役割をする。
【００７２】
また、開閉機構１２０の回し部１２２は使用者が手を使用して回転作動することが可能な範囲の距離で開閉機構１２０上部終端から離隔されて構成される。
【００７３】
そして、回し制御部１０５は開閉機構１２０の上部終端で回し部１２２の間に構成され、回し部１２２から離隔されて位置する。すなわち、回し制御部１０５は開閉機構１２０の離隔外部面１２０ｂに対応される。
【００７４】
回し部１２２は開閉機構１２０の離隔外部面１２０ｂの下部側に位置する。
【００７５】
使用時には、使用者（成人）が容器本体１１０に締結された開閉機構１２０の容器本体１１０の開放に必要な回し部１２２を掴んで回して容器本体１１０から開閉機構１２０を開閉することによって、容器本体１１０から内容物を取り出すことができる。離隔外部面１２０ｂが手の内側に位置しても開閉機構１２０の回し部１２２に指が届くのであればこれを開けることができる。
【００７６】
一方、小児が開閉機構１２０を開放する場合には、小児の手の大きさが成人の手の大きさより相対的に小さいので、回し部１２２まで指が届かないか、外周面だけを掴んで回すには力が不足して開閉機構１２０を開けることが難しい。
【００７７】
このような理由で、危険を正しく認知することができない小児の知能と力、または精神的な障害がある成人の認知能力では意識的または無意識的に容易に開閉することができない開閉装置１００を提供することができる。
【００７８】
本発明の第２実施例として図３〜図６を参照すれば、本発明の開放制御が可能な開閉装置およびこれを具備する容器は内容物が保管される容器本体１１０と；容器本体１１０の上端に開閉可能に設置される開閉機構１２０および開閉機構１２０の上側に設置されるカバーキャップ１３０を含んで構成される。
【００７９】
容器本体１１０は容器内容物を保管するものであって、上端は開放され、その開放された外側面には開閉機構１２０と締結されるための螺子部１１１が形成される。開閉機構１２０は容器本体１１０に開閉可能に設置されるものであって、開閉機構１２０の内周面にも回し螺子部１２１が形成される。本実施例は結合構造を螺子結合にしたが、これに限定されず、多様な結合方法を適用することができることは自明である。
【００８０】
また、開閉機構１２０は上端の外周面にカバーキャップ１３０と結合するための周部が形成され、周部は外周面に沿って周溝１２５を有するように形成される。
【００８１】
カバーキャップ１３０は開閉機構１２０の上端に結合されて設置されるものであって、カバーキャップ１３０は内部の内側に周溝１２５と対応する周段部１３１が形成される。
【００８２】
ここで、カバーキャップ１３０の周段部１３１が開閉機構１２０の周溝１２５に差し込まれるように結合されて構成される。
【００８３】
また、カバーキャップ１３０は開閉機構１２０の上端から一定の拡張高さを有するように形成されてカバーキャップ１３０を把持する小児の手が開閉機構１２０まで届かないように形成され得る。
【００８４】
特に、開閉装置１００は回し部１２２を具備した開閉機構１２０および回し制御部１０５を含む。
【００８５】
開閉機構１２０の回し部１２２は容器本体１１０の開閉に必要な構成である。すなわち、回し部１２２はカバーキャップ１３０の角や縁から延長形成されて容器本体１１０の周面を囲むことになる。
【００８６】
そして、回し制御部１０５は回し部１２２の作動を制御する役割をする。
【００８７】
このとき、回し部１２２は開閉機構１２０の外部面に形成されて使用者の接触操作時に回転が可能な構成である。
【００８８】
そして、回し制御部１０５は、回し部１２２の外部面に対して使用者が接近するのを制御して回し部１２２の作動を制限し、回し制御部１０５による回し部１２２の作動制限によって開閉機構１２０の開閉がなされないようにする役割をする。すなわち、回し制御部１０５はカバーキャップ１３０を含むことによって、開閉機構１２０を安定的に開閉できる役割をする。
【００８９】
また、開閉機構１２０の回し部１２２は使用者が手を使用して回転作動することが可能な範囲の距離で開閉機構１２０上部終端から離隔されて構成される。
【００９０】
そして、回し制御部１０５は開閉機構１２０の上部終端で回し部１２２の間に構成されて回し部１２２から離隔されて位置する。すなわち、回し制御部１０５は開閉機構１２０の離隔外部面１２０ｂに対応する。
【００９１】
回し部１２２は開閉機構１２０の離隔外部面１２０ｂの下部側に位置する。
【００９２】
したがって、本発明の第２実施例に係る開閉装置１００は、容器本体１１０に開閉機構１２０とカバーキャップ１３０が別途具備され組み立てられた状態で提供される。
【００９３】
使用時には、使用者（成人）が容器本体１１０に締結された開閉機構１２０の容器本体１１０の開放に必要な回し部１２２を掴んで回して容器本体１１０から開閉機構１２０を開閉することによって、容器本体１１０から内容物を取り出すことができる。カバーキャップ１３０または離隔外部面１２０ｂが手の内側に位置しても開閉機構１２０の回し部１２２に指が届くのであればこれを開けることができる。
【００９４】
一方、小児が開閉機構１２０を開放する場合には、小児の手の大きさが成人の手の大きさより相対的に小さいので、カバーキャップ１３０が手の平に触れる場合、開閉機構１２０の回し部１２２まで指が届かないか、外周面だけを掴んで回すには力が不足して開閉機構１２０を開けることが難しい。すなわちカバーキャップ１３０を回すことができる構造で空回りするしかなく、嬰児や幼児のように興味によって開閉機構１２０を操作する場合には、かえって空回りするカバーキャップ１３０に対して関心を持ち、開閉装置の実質的な開放なしにカバーキャップ１３０の回し行為だけをすることができる。
【００９５】
このような理由で、危険を正しく認知することができない小児の知能と力、または精神的な障害がある成人の認知能力では意識的または無意識的に容易に開閉することができない開閉装置１００を提供することができる。
【００９６】
一方、本発明による開放制御が可能な開閉装置およびこれを具備する容器は開閉機構とカバーキャップの設置形態により異なるように提供されることもある。
【００９７】
図７は本発明に係る開閉装置の第３実施例を示している部分切開全体斜視図で、図８は分解断面図、図９は結合断面図、図１０は使用状態を示している断面図である。同じ機能の構造は同じ図面番号を付する。
【００９８】
本実施例も開閉機構１２０の外周面に沿ってカバーキャップ１３０が形成されるものの、カバーキャップ１３０は開閉機構１２０の外周面に沿って昇降可能に構成される。
【００９９】
特に、本実施例の容器は容器本体１１０と開閉装置１００を含み、容器本体１１０に適用される開閉装置１００は、第２実施例と同様に、回し部１２２を具備した開閉機構１２０および回し制御部１０５を含む。
【０１００】
容器本体１１０は前述の説明と同一であるので省略する。
【０１０１】
特に、開閉装置１００は回し部１２２を具備した開閉機構１２０および回し制御部１０５を含む。
【０１０２】
開閉機構１２０の回し部１２２は容器本体１１０の開閉に必要な構成である。すなわち、回し部１２２はカバーキャップ１３０の角や縁から延長形成されて容器本体１１０の周面を囲むことになる。
【０１０３】
そして、回し制御部１０５は回し部１２２の作動を制御する役割をする。
【０１０４】
このとき、回し部１２２は開閉機構１２０の外部面に形成されて使用者の接触操作時に回転が可能な構成である。
【０１０５】
そして、回し制御部１０５は、回し部１２２の外部面に対して使用者が接近するのを制御して回し部１２２の作動を制限し、回し制御部１０５による回し部１２２の作動制限によって開閉機構１２０の開閉がなされないようにする役割をする。すなわち、回し制御部１０５はカバーキャップ１３０を含むことによって、開閉機構１２０を安定的に開閉できる役割をする。
【０１０６】
また、開閉機構１２０の回し部１２２は使用者が手を使用して回転作動することが可能な範囲の距離で開閉機構１２０上部終端から離隔されて構成される。
【０１０７】
そして、回し制御部１０５は開閉機構１２０の上部終端で回し部１２２の間に構成されて回し部１２２から離隔されて位置する、開閉機構１２０の離隔外部面１２０ｂを含む。
【０１０８】
このとき、回し部１２２は離隔外部面１２０ｂの下部側に位置することができる。
【０１０９】
回し制御部１０５は、カバーキャップ１３０が開閉機構１２０の外周面に沿ってカバーキャップ１３０の開放方向に移動すると回し部１２２に対する使用者の接近を制限して回し部１２２の作動を制限する。
【０１１０】
回し部１２２は開閉機構１２０の離隔外部面１２０ｂの下部側に位置する。
【０１１１】
回し制御部１０５は開閉機構１２０の上側に設置されるカバーキャップ１３０を含む。
【０１１２】
カバーキャップ１３０は、開閉機構１２０の外周面に沿って形成されるものの、開閉機構１２０の開閉作動と分離され、カバーキャップ１３０の作動だけで開閉機構１２０は開閉されず、カバーキャップ１３０は、開閉機構１２０の外周面に沿って移動可能に設置される。
【０１１３】
カバーキャップ１３０が開閉機構１２０の回し部１２２の一部または全部を覆った場合、回し部１２２の作動が遮断され、カバーキャップ１３０が、回し部１２２が作動可能に露出するように移動する場合、回し部１２２の作動を通じて容器本体１１０が開放される。
【０１１４】
回し部１２２は使用者が手を使用して回し部１２２を作動することが可能な範囲の距離で開閉機構１２０上部終端から離隔されて構成される。
【０１１５】
カバーキャップ１３０は開閉機構１２０と連動して動作せず、カバーキャップ１３０の作動だけでは開閉機構１２０が開閉されない。
【０１１６】
開閉機構１２０の内部面に容器本体１１０と結合される回し螺子部１２１が形成される。
【０１１７】
カバーキャップ１３０が開閉機構１２０の外周面で昇降可能にするガイド部１３０ａを含む。特に、カバーキャップ１３０が昇降可能に形成されるガイド部１３０ａは、開閉機構１２０の外部面に形成される周溝とカバーキャップ１３０の内部面に形成される周段部を含むか、開閉機構１２０の外部面に形成される周段部とカバーキャップ１３０の内部面に形成される周溝を含む。
【０１１８】
本実施例で開閉機構１２０の外周面は、カバーキャップ１３０が昇降できるように一定の長さの余裕幅（高さ）を有する周溝１２７を有する。
【０１１９】
また、開閉機構１２０の外周面に沿ってカバーキャップ１３０が空回りするように形成し、カバーキャップ１３０が開閉機構１２０の外周面を囲みながら重なるように形成することもできる。
【０１２０】
回し部１２２は使用者が手を使用して回し部１２２を作動することが可能な範囲の距離で開閉機構１２０上部終端から離隔されて構成される。
【０１２１】
カバーキャップ１３０は開閉機構１２０と連動して動作せず、カバーキャップ１３０の作動だけでは開閉機構１２０が開閉されない。
【０１２２】
開閉機構１２０の内部面に容器本体１１０と結合される回し螺子部１２１が形成される。
【０１２３】
開閉機構１２０の外壁が回し螺子部１２１の下部に延びる延長部１２０ａを形成することができる。また、回し部１２２は延長部１２０ａの表面に形成され得る。
【０１２４】
カバーキャップ１３０は開閉機構１２０に着脱できるように結合され得る。
【０１２５】
カバーキャップ１３０は開閉機構１２０に分離可能に結合されるかまたは開閉機構１２０に一体に具備され得る。
【０１２６】
したがって、本発明に係る開閉装置は容器本体１１０に開閉機構１２０とカバーキャップ１３０が分離可能に組み立てられた状態で提供される。
【０１２７】
使用時には、使用者（成人）が容器本体１１０に締結された開閉機構１２０の容器本体１１０の開放に必要な回し部１２２を掴んで回して容器本体１１０から開閉機構１２０を開閉することによって、容器本体１１０から内容物を取り出すことができる。カバーキャップ１３０が手の内側に位置しても開閉機構１２０の回し部１２２に指が届くのであればこれを開けることができる。
【０１２８】
一方、小児が開閉機構１２０を開放する場合には、小児の手の大きさが成人の手の大きさより相対的に小さいので、カバーキャップ１３０が手の平に触れる場合、開閉機構１２０まで指が届かないか、外周面だけを掴んで回すには力が不足して開閉機構１２０を開けることが難しい。すなわちカバーキャップ１３０を回すことができる構造で空回りするしかなく、嬰児や幼児のように興味によって開閉機構１２０を操作する場合には、かえって空回りするカバーキャップ１３０に対して関心を持ち、開閉装置の実質的な開放なしにカバーキャップ１３０の回し行為だけをすることができる。
このような理由で、危険を正しく認知することができない小児の知能と力、または精神的な障害がある成人の認知能力では意識的または無意識的に容易に開閉することができない開閉装置を提供することができる。
【０１２９】
一方、周溝１２７を適用する場合にはカバーキャップ１３０が開閉機構１２０を覆って開閉機構１２０が外部に露出されなく、カバーキャップ１３０を回すことができる構造ではカバーキャップ１３０が空回りする効果がある。一般使用者（成人）の場合、カバーキャップ１３０を上方に少しだけ持ち上げて開閉機構１２０を開けることができ、このとき、持ち上げられたカバーキャップ１３０によりカバーキャップ１３０上端と回し部との距離が遠くなり、指定された年齢層の小児の指の長さでは開閉機構１２０の回しのような開閉行為が難しくなる。また、開閉機構１２０の開閉はカバーキャップ１３０を持ち上げた時にのみ可能である。
【０１３０】
開閉使用をしない場合には、距離を確保することなくカバーキャップ１３０を下に下ろすと容器全体の長さが縮まり、開閉装置１００の収納と移動が容易である。
【０１３１】
特に、開閉機構１２０の周溝１２７は周段部１３１の高さより広く形成される。
【０１３２】
これにより、カバーキャップ１３０は開閉機構１２０の周溝１２７の幅だけ周段部１３１が昇降移動され、空回りすることができるようになる。
【０１３３】
合わせて、カバーキャップ１３０は周溝１２７の幅だけ昇降移動が可能であることにより、使用者はさらに開閉機構１２０を直接的に掴むことが難しくなる。
【０１３４】
未説明された図面符号は前述したものに代替する。
【０１３５】
本発明は図面に図示された実施例を参照して説明されたが、これは例示的なものに過ぎず、当該技術が属する分野で通常の知識を有した者であればこれから多様な変形および均等な他の実施例が可能であることが理解できるであろう。したがって、本発明の真の技術的保護範囲は下記の特許請求の範囲によって定められるべきである。
【図１】
2017511770.tif 000003
【図２】
2017511770.tif 000004
【図３】
2017511770.tif 000005
【図４】
2017511770.tif 000006
【図５】
2017511770.tif 000007
【図６】
2017511770.tif 000008
【図７】
2017511770.tif 000009
【図８】
2017511770.tif 000010
【図９】
2017511770.tif 000011
【図１０】
2017511770.tif 000012
【手続補正書】
【提出日】平成28年2月1日(2016.2.1)
【手続補正１】
【補正対象書類名】明細書
【補正対象項目名】全文
【補正方法】変更
【補正の内容】
【発明の詳細な説明】
【技術分野】
【０００１】
本発明は開放制御が可能な開閉装置およびこれを具備する容器に関するもので、さらに詳細には内容物が保管される容器本体に具備され、容器本体の開放に必要な回し部が開閉機構の外部面に形成されて容器本体の一端を開閉する開閉機構と、開閉機構の開閉作動と分離され、開閉機構の開閉に影響を与えず、回し部の作動を制御する回し制御部を通じて使用者の容器開放を制御するための開放制御が可能な開閉装置およびこれを具備する容器に関するものである。
【背景技術】
【０００２】
一般的に、内容物を保管するための容器は容器本体および開閉可能な開閉装置で構成される。
【０００３】
このような容器は内容物を容器本体に入れた後、栓のような開閉機構を容器本体と結合させることによって密閉された状態で内容物を保管するのに使用される。
【０００４】
本明細書において、「小児」とは、「新生児」、「嬰児」、「子供」および「青少年」をすべて含む概念の単語として用いられる。
【０００５】
家庭で小児の手に届く位置にこのような容器が置かれてある場合、小児が容器本体から開閉機構を容易に分離した後、内容物を容器の外に取り出す場合が発生する。すなわち、一般的な容器は単純な構造の開閉機構が容器本体の上端部に締結されているため、小児であっても容器本体から開閉機構を容易に開けて内容物を取り出すことができる。
【０００６】
特に、内容物が薬品の場合、小児が開閉機構を開けて容器本体内に保管された薬を取り出して食べるなどの問題をもたらす恐れがある。
【０００７】
したがって、家庭ではこのような構造の容器を小児の手に届かない高いところに保管するなどの細心の注意が要求されているのが実情である。
【０００８】
また、心神耗弱の成人や高齢者の場合にも小児の場合と同様に問題点が発生する恐れがあり、容器の開閉時の操作が簡便かつ一定程度の集中度が要される機構が求められている。
【０００９】
商用化された圧迫後回す容器は使用が許された成人の場合にも操作が難しく、相当な努力と集中力が必要であり、成人が応急時に自分で応急薬品が入っている容器の開放ができず、事故が発生しており、より操作が簡便な機構が求められている。
【先行技術文献】
【特許文献】
【００１０】
【特許文献１】ＫＲ登録実用新案公報  Ｙ１  第２０−０３１８８６４（２００３．０７．０４．）
【発明の概要】
【発明が解決しようとする課題】
【００１１】
前述のような従来の問題点を改善するために提示される本発明の目的は、成長した成人と小児の指の長さの差による容器開閉装置の開閉操作性を異ならせ、小児の場合、栓のような開閉機構を開けようとする好奇心と欲求に対して容器の開放を難しくしたり、回し作動だけを起こさせたりすることにある。このように本発明は、小児が開閉機構を容易に開けることができないようにする開放制御が可能な開閉装置およびこれを具備する容器を提供するためのものである。すなわち、危険を正しく認知することができない幼児または小児の知能と力では容易に開閉することができない開閉機構を具備した、開放制御が可能な開閉装置およびこれを具備する容器を提供するためのものである。
【００１２】
成人と小児の成長による指の長さの差から、開閉機構の回し区間を設置して容器の開閉操作ができる年齢層を制限する方法を提供するためのものである。
【００１３】
本発明の他の目的は、開放制御が可能な開閉装置およびこれを具備する容器に係る開閉機構の構造が簡単で製作が容易であり、成人は平常時と応急時に簡便かつ安全に使用することができるようにする開放制御が可能な開閉装置およびこれを具備する容器を提供することにある。
【００１４】
本発明の他の目的は、開閉機構の操作を簡便かつ一定程度の集中度が要されるようにして、小児の場合のように問題点が発生し得る心神耗弱の成人や高齢者に容器開閉に対する正常な認知を通じて容器を開閉するようにする、開放制御が可能な開閉装置およびこれを具備する容器を提供することにある。
【課題を解決するための手段】
【００１５】
前記課題を改善するために、本発明は、容器本体に適用され、前記容器本体の開閉に必要な回し部を具備した開閉機構と、前記回し部の作動を制御する回し制御部を含み、前記回し部は、前記開閉機構の外部面に形成されて使用者の接触操作時に回転が可能な構成であり、前記回し制御部は、前記回し部の外部面に対して使用者が接近することを制御して前記回し部の作動を制限し、前記回し制御部による前記回し部の作動制限によって前記開閉機構の開閉がなされないこともある。
【００１６】
前記回し制御部は前記開閉機構の上側に設置されるカバーキャップを含み、前記カバーキャップは、前記開閉機構の外周面に沿って形成されるものの、前記開閉機構の開閉作動と分離され、前記カバーキャップの作動だけで開閉機構は開閉されず、前記カバーキャップは、前記開閉機構の外周面に沿って移動可能に設置され得る。
【００１７】
前記カバーキャップが前記開閉機構の回し部の一部または全部を覆った場合、前記回し部の作動が遮断され、前記カバーキャップが、前記回し部が作動可能に露出するように移動する場合、前記回し部の作動を通じて前記容器本体が開放され得る。
【００１８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面とすることができる。
【００１９】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含み、前記回し制御部は前記カバーキャップが前記開閉機構の外周面に沿って前記カバーキャップの開放方向に移動すると、前記回し部に対する使用者の接近を制限して、前記回し部の作動を制限することができる。
【００２０】
前記カバーキャップは前記開閉機構と連動して動作せず、前記カバーキャップの作動だけでは前記開閉機構が開閉しないこともあり得る。
【００２１】
前記回し部は前記開閉機構の前記離隔外部面の下部側に位置することができる。
【００２２】
前記開閉機構の内部面に容器本体と結合される回し螺子部が形成され得る。
【００２３】
前記カバーキャップが昇降可能に形成されるガイド部を含み、前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００２４】
前記カバーキャップは前記開閉機構に着脱できるように結合され得る。
【００２５】
前記開閉機構の外壁が前記回し螺子部の下部に延びて形成される延長部を含み、前記回し部は前記延長部の表面に形成され得る。
【００２６】
前記カバーキャップが前記開閉機構の外周面で昇降可能にするガイド部を含む。
【００２７】
前記カバーキャップが昇降可能に形成される前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含む。
【００２８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含む。
【００２９】
前記カバーキャップは前記開閉機構と連動して動作せず、前記カバーキャップの作動だけでは前記開閉機構が開閉しないこともあり得る。
【００３０】
前記回し部は前記開閉機構の前記離隔外部面の下部側に位置することができる。
【００３１】
前記開閉機構の内部面に容器本体と結合される回し螺子部が形成され得る。
【００３２】
前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００３３】
前記カバーキャップは前記開閉機構に分離可能に結合されるかまたは前記開閉機構に一体に具備され得る。
【００３４】
前記開閉機構の外壁が前記回し螺子部の下部に延びて形成される延長部を含み、前記回し部は前記延長部の表面に形成され得る。
【００３５】
本発明は、容器本体と、前記容器本体に具備され前記容器本体の開閉を制御する開閉装置を含み、前記開閉装置は、前記容器本体の開閉に必要な回し部を具備した開閉機構と、前記回し部の作動を制御する回し制御部を含み、前記回し部は、前記開閉機構の外部面に形成されて使用者の接触操作時に回転が可能な構成であり、前記回し制御部は、前記回し部の外部面に対して使用者が接近することを制御して前記回し部の作動を制限し、前記回し制御部による前記回し部の作動制限によって前記開閉機構の開閉がなされないこともある。
【００３６】
前記回し制御部は前記開閉機構の外部に設置されるカバーキャップを含み、前記カバーキャップは、前記開閉機構の外周面に沿って形成されるものの、前記開閉機構の開閉作動と分離され、前記カバーキャップの作動だけで開閉機構は開閉されず、前記カバーキャップは、前記開閉機構の外周面に沿って移動することができ得る。
【００３７】
前記カバーキャップが前記開閉機構の回し部の一部または全部を覆った場合、前記回し部の作動が遮断され、前記カバーキャップが、前記回し部が作動可能に露出するように移動する場合、前記回し部の作動を通じて前記容器本体が開放され得る。
【００３８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面であり得る。
【００３９】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含み、前記回し制御部は前記カバーキャップが前記開閉機構の外周面に沿って前記カバーキャップの開放方向に移動すると、前記回し部に対する使用者の接近を制限して、前記回し部の作動を制限することができる。
【００４０】
前記カバーキャップは前記開閉機構と連動して動作せず、前記カバーキャップの作動だけでは前記開閉機構が開閉しないこともあり得る。
【００４１】
前記回し部は前記開閉機構の前記離隔外部面の下部側に位置することができる。
【００４２】
前記開閉機構の内部面に容器本体と結合される回し螺子部が形成され得る。
【００４３】
前記カバーキャップが昇降可能に形成されるガイド部を含み、前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００４４】
前記カバーキャップは前記開閉機構に着脱できるように結合され得る。
【００４５】
前記開閉機構の外壁が前記回し螺子部の下部に延びて形成される延長部を含み、前記回し部は前記延長部の表面に形成され得る。
【００４６】
前記カバーキャップが前記開閉機構の外周面で昇降可能にするガイド部を含む。
【００４７】
前記カバーキャップが昇降可能に形成される前記ガイド部は、前記開閉機構の外部面に形成される周溝と前記カバーキャップの内部面に形成される周段部を含むか、前記開閉機構の外部面に形成される周段部と前記カバーキャップの内部面に形成される周溝を含む。
【００４８】
前記回し部は、使用者が手を使用して前記回し部を作動することが可能な範囲の距離で前記開閉機構上部終端から離隔されて構成され、前記回し制御部は、前記開閉機構の上部終端で前記回し部の間に構成され前記回し部から離隔されて位置する、前記開閉機構の離隔外部面を含む。
【００４９】
前記カバーキャップは前記開閉機構と連動して動作せず、前記カバーキャップの作動だけでは前記開閉機構が開閉しないこともあり得る。
【００５０】
前記回し部は前記開閉機構の前記離隔外部面の下部側に位置することができる。
【００５１】
前記開閉機構の内部面に容器本体と結合される回し螺子部が形成され得る。
【００５２】
前記開閉機構の外部面に形成される周溝と前記カバーキャップの内部面に形成される周段部を含むか、前記開閉機構の外部面に形成される周段部と前記カバーキャップの内部面に形成される周溝を含み、前記周溝と前記周段部とが互いに対応して差し込まれることができる。
【００５３】
前記カバーキャップは前記開閉機構に分離可能に結合されるかまたは前記開閉機構に一体に具備され得る。
【００５４】
前記開閉機構の外壁が前記回し螺子部の下部に延びて形成される延長部を含み、前記回し部は前記延長部の表面に形成され得る。
【発明の効果】
【００５５】
本発明は開放制御が可能な開閉装置およびこれを具備する容器を提供することによって、小児が開閉機構を容易に開けないようにすることができる。
【００５６】
本発明は、危険を正しく認知することができない幼児または小児の知能と力では容易に開放することができない開閉機構であるものの、一度開閉機構の開放を試みた幼児や小児には開閉機構が開かず開放を難しくするか、開閉機構の外周部分を回転回し作動だけが起こるようにして遊戯機構のように感じさせる効果もある。
【００５７】
本発明は、心神耗弱の成人や高齢者の場合、小児の場合と同様に問題点が発生する恐れがあり、容器の開閉時に操作が簡便かつ一定程度の集中度が要される効果がある。
【００５８】
また、本発明は構造が簡単で製作が容易であり、正常の成人は簡便に使用することができるようにする効果がある。
【００５９】
幼児期を過ぎた青少年の場合、開閉機構の開閉を他の方法で実行することも可能であるが、まずは、指の長さの差で制限して、自覚させる効果がある。
【図面の簡単な説明】
【００６０】
【図１】本発明の第１実施例を示している図面で、全体斜視図である。
【図２】本発明の第１実施例を示している図面で、全体断面図である。
【図３】本発明の第２実施例を示している図面で、全体斜視図である。
【図４】本発明の第２実施例を示している図面で、部分切開全体斜視図である。
【図５】本発明の第２実施例を示している図面で、分解断面図である。
【図６】本発明の第２実施例を示している図面で、結合断面図である。
【図７】本発明の第３実施例を示している図面で、部分切開全体斜視図である。
【図８】本発明の第３実施例を示している図面で、分解断面図である。
【図９】本発明の第３実施例を示している図面で、結合断面図である。
【図１０】本発明の第３実施例を示している図面で、使用状態を示している結合断面図である。
【発明を実施するための形態】
【００６１】
以下、添付された図面を参照して本発明に係る開放制御が可能な開閉装置およびこれを具備する容器の実施例を説明する。この過程において、図面に図示された線の太さや構成要素の大きさなどは説明の明瞭性と便宜上誇張して図示されていることもある。また、後述される用語は本発明での機能を考慮して定義された用語であって、これは作業者、運用者の意図または慣例によって異なり得る。したがって、このような用語に対する定義は本明細書全般にわたる内容に基づいて定められるべきである。
【００６２】
以下では、容器を立てた時に開閉機構が開閉される側を上端（または上側）として説明する。
【００６３】
図１および図２は本発明の第１実施例を図示した図面である。図１は第１実施例の全体斜視図で、図２は全体断面図である。本発明の第１実施例は内容物が保管される容器本体１１０と；容器本体１１０の一端を開閉する開閉機構１２０を含む容器であって、容器本体１１０の開放に必要な回し部１２２が開閉機構１２０の上部終端から離隔された開閉機構１２０の下部側に位置する開放制御が可能な開閉装置およびこれを具備する容器を開示する。
【００６４】
開閉機構１２０終端から回し部１２２までの距離が確保されれば、小児が手を使用して開閉機構１２０を回すことが難しくなり、また、成人の場合は若干の集中度が要される構成となる。開閉機構１２０の内部面に容器本体１１０と結合される回し螺子部１２１が形成され、回し螺子部１２１の外周面側に位置する回し部１２２は手に抵抗して回されやすい形状や材質であり得る。回し螺子部１２１の外周面側は容器本体１１０の開放に必要な回し部１２２となる。
【００６５】
開閉機構１２０の外壁は回し螺子部１２１の下に延びて延長部１２０ａを形成し、回し部１２２は延長部１２０ａに形成されることもある。
【００６６】
したがって、使用者が開閉機構１２０を回転させ回し螺子部１２１を外して容器本体１１０を開放したり、回し螺子部１２１を締めて容器本体１１０を閉めたりする。
【００６７】
特に、開閉装置１００は回し部１２２を具備した開閉機構１２０および回し制御部１０５を含む。
【００６８】
開閉機構１２０の回し部１２２は容器本体１１０の開閉に必要な構成である。
【００６９】
そして、回し制御部１０５は回し部１２２の作動を制御する役割をする。
【００７０】
このとき、回し部１２２は開閉機構１２０の外部面に形成されて使用者の接触操作時に回転が可能な構成である。
【００７１】
そして、回し制御部１０５は、回し部１２２の外部面に対して使用者が接近することを制御して回し部１２２の作動を制限し、回し制御部１０５による回し部１２２の作動制限によって開閉機構１２０の開閉がなされないようにする役割をする。
【００７２】
また、開閉機構１２０の回し部１２２は使用者が手を使用して回転作動することが可能な範囲の距離で開閉機構１２０上部終端から離隔されて構成される。
【００７３】
そして、回し制御部１０５は開閉機構１２０の上部終端で回し部１２２の間に構成され、回し部１２２から離隔されて位置する。すなわち、回し制御部１０５は開閉機構１２０の離隔外部面１２０ｂに対応される。
【００７４】
回し部１２２は開閉機構１２０の離隔外部面１２０ｂの下部側に位置する。
【００７５】
使用時には、使用者（成人）が容器本体１１０に締結された開閉機構１２０の容器本体１１０の開放に必要な回し部１２２を掴んで回して容器本体１１０から開閉機構１２０を開閉することによって、容器本体１１０から内容物を取り出すことができる。離隔外部面１２０ｂが手の内側に位置しても開閉機構１２０の回し部１２２に指が届くのであればこれを開けることができる。
【００７６】
一方、小児が開閉機構１２０を開放する場合には、小児の手の大きさが成人の手の大きさより相対的に小さいので、回し部１２２まで指が届かないか、外周面だけを掴んで回すには力が不足して開閉機構１２０を開けることが難しい。
【００７７】
このような理由で、危険を正しく認知することができない小児の知能と力、または精神的な障害がある成人の認知能力では意識的または無意識的に容易に開閉することができない開閉装置１００を提供することができる。
【００７８】
本発明の第２実施例として図３〜図６を参照すれば、本発明の開放制御が可能な開閉装置およびこれを具備する容器は内容物が保管される容器本体１１０と；容器本体１１０の上端に開閉可能に設置される開閉機構１２０および開閉機構１２０の上側に設置されるカバーキャップ１３０を含んで構成される。
【００７９】
容器本体１１０は容器内容物を保管するものであって、上端は開放され、その開放された外側面には開閉機構１２０と締結されるための螺子部１１１が形成される。開閉機構１２０は容器本体１１０に開閉可能に設置されるものであって、開閉機構１２０の内周面にも回し螺子部１２１が形成される。本実施例は結合構造を螺子結合にしたが、これに限定されず、多様な結合方法を適用することができることは自明である。
【００８０】
また、開閉機構１２０は上端の外周面にカバーキャップ１３０と結合するための周部が形成され、周部は外周面に沿って周溝１２５を有するように形成される。
【００８１】
カバーキャップ１３０は開閉機構１２０の上端に結合されて設置されるものであって、カバーキャップ１３０は内部の内側に周溝１２５と対応する周段部１３１が形成される。
【００８２】
ここで、カバーキャップ１３０の周段部１３１が開閉機構１２０の周溝１２５に差し込まれるように結合されて構成される。
【００８３】
また、カバーキャップ１３０は開閉機構１２０の上端から一定の拡張高さを有するように形成されてカバーキャップ１３０を把持する小児の手が開閉機構１２０まで届かないように形成され得る。
【００８４】
特に、開閉装置１００は回し部１２２を具備した開閉機構１２０および回し制御部１０５を含む。
【００８５】
開閉機構１２０の回し部１２２は容器本体１１０の開閉に必要な構成である。すなわち、回し部１２２はカバーキャップ１３０の角や縁から延長形成されて容器本体１１０の周面を囲むことになる。
【００８６】
そして、回し制御部１０５は回し部１２２の作動を制御する役割をする。
【００８７】
このとき、回し部１２２は開閉機構１２０の外部面に形成されて使用者の接触操作時に回転が可能な構成である。
【００８８】
そして、回し制御部１０５は、回し部１２２の外部面に対して使用者が接近するのを制御して回し部１２２の作動を制限し、回し制御部１０５による回し部１２２の作動制限によって開閉機構１２０の開閉がなされないようにする役割をする。すなわち、回し制御部１０５はカバーキャップ１３０を含むことによって、開閉機構１２０を安定的に開閉できる役割をする。
【００８９】
また、開閉機構１２０の回し部１２２は使用者が手を使用して回転作動することが可能な範囲の距離で開閉機構１２０上部終端から離隔されて構成される。
【００９０】
そして、回し制御部１０５は開閉機構１２０の上部終端で回し部１２２の間に構成されて回し部１２２から離隔されて位置する。すなわち、回し制御部１０５は開閉機構１２０の離隔外部面１２０ｂに対応する。
【００９１】
回し部１２２は開閉機構１２０の離隔外部面１２０ｂの下部側に位置する。
【００９２】
したがって、本発明の第２実施例に係る開閉装置１００は、容器本体１１０に開閉機構１２０とカバーキャップ１３０が別途具備され組み立てられた状態で提供される。
【００９３】
使用時には、使用者（成人）が容器本体１１０に締結された開閉機構１２０の容器本体１１０の開放に必要な回し部１２２を掴んで回して容器本体１１０から開閉機構１２０を開閉することによって、容器本体１１０から内容物を取り出すことができる。カバーキャップ１３０または離隔外部面１２０ｂが手の内側に位置しても開閉機構１２０の回し部１２２に指が届くのであればこれを開けることができる。
【００９４】
一方、小児が開閉機構１２０を開放する場合には、小児の手の大きさが成人の手の大きさより相対的に小さいので、カバーキャップ１３０が手の平に触れる場合、開閉機構１２０の回し部１２２まで指が届かないか、外周面だけを掴んで回すには力が不足して開閉機構１２０を開けることが難しい。すなわちカバーキャップ１３０を回すことができる構造で空回りするしかなく、嬰児や幼児のように興味によって開閉機構１２０を操作する場合には、かえって空回りするカバーキャップ１３０に対して関心を持ち、開閉装置の実質的な開放なしにカバーキャップ１３０の回し行為だけをすることができる。
【００９５】
このような理由で、危険を正しく認知することができない小児の知能と力、または精神的な障害がある成人の認知能力では意識的または無意識的に容易に開閉することができない開閉装置１００を提供することができる。
【００９６】
一方、本発明による開放制御が可能な開閉装置およびこれを具備する容器は開閉機構とカバーキャップの設置形態により異なるように提供されることもある。
【００９７】
図７は本発明に係る開閉装置の第３実施例を示している部分切開全体斜視図で、図８は分解断面図、図９は結合断面図、図１０は使用状態を示している断面図である。同じ機能の構造は同じ図面番号を付する。
【００９８】
本実施例も開閉機構１２０の外周面に沿ってカバーキャップ１３０が形成されるものの、カバーキャップ１３０は開閉機構１２０の外周面に沿って昇降可能に構成される。
【００９９】
特に、本実施例の容器は容器本体１１０と開閉装置１００を含み、容器本体１１０に適用される開閉装置１００は、第２実施例と同様に、回し部１２２を具備した開閉機構１２０および回し制御部１０５を含む。
【０１００】
容器本体１１０は前述の説明と同一であるので省略する。
【０１０１】
特に、開閉装置１００は回し部１２２を具備した開閉機構１２０および回し制御部１０５を含む。
【０１０２】
開閉機構１２０の回し部１２２は容器本体１１０の開閉に必要な構成である。すなわち、回し部１２２はカバーキャップ１３０の角や縁から延長形成されて容器本体１１０の周面を囲むことになる。
【０１０３】
そして、回し制御部１０５は回し部１２２の作動を制御する役割をする。
【０１０４】
このとき、回し部１２２は開閉機構１２０の外部面に形成されて使用者の接触操作時に回転が可能な構成である。
【０１０５】
そして、回し制御部１０５は、回し部１２２の外部面に対して使用者が接近するのを制御して回し部１２２の作動を制限し、回し制御部１０５による回し部１２２の作動制限によって開閉機構１２０の開閉がなされないようにする役割をする。すなわち、回し制御部１０５はカバーキャップ１３０を含むことによって、開閉機構１２０を安定的に開閉できる役割をする。
【０１０６】
また、開閉機構１２０の回し部１２２は使用者が手を使用して回転作動することが可能な範囲の距離で開閉機構１２０上部終端から離隔されて構成される。
【０１０７】
そして、回し制御部１０５は開閉機構１２０の上部終端で回し部１２２の間に構成されて回し部１２２から離隔されて位置する、開閉機構１２０の離隔外部面１２０ｂを含む。
【０１０８】
このとき、回し部１２２は離隔外部面１２０ｂの下部側に位置することができる。
【０１０９】
回し制御部１０５は、カバーキャップ１３０が開閉機構１２０の外周面に沿ってカバーキャップ１３０の開放方向に移動すると回し部１２２に対する使用者の接近を制限して回し部１２２の作動を制限する。
【０１１０】
回し部１２２は開閉機構１２０の離隔外部面１２０ｂの下部側に位置する。
【０１１１】
回し制御部１０５は開閉機構１２０の上側に設置されるカバーキャップ１３０を含む。
【０１１２】
カバーキャップ１３０は、開閉機構１２０の外周面に沿って形成されるものの、開閉機構１２０の開閉作動と分離され、カバーキャップ１３０の作動だけで開閉機構１２０は開閉されず、カバーキャップ１３０は、開閉機構１２０の外周面に沿って移動可能に設置される。
【０１１３】
カバーキャップ１３０が開閉機構１２０の回し部１２２の一部または全部を覆った場合、回し部１２２の作動が遮断され、カバーキャップ１３０が、回し部１２２が作動可能に露出するように移動する場合、回し部１２２の作動を通じて容器本体１１０が開放される。
【０１１４】
回し部１２２は使用者が手を使用して回し部１２２を作動することが可能な範囲の距離で開閉機構１２０上部終端から離隔されて構成される。
【０１１５】
カバーキャップ１３０は開閉機構１２０と連動して動作せず、カバーキャップ１３０の作動だけでは開閉機構１２０が開閉されない。
【０１１６】
開閉機構１２０の内部面に容器本体１１０と結合される回し螺子部１２１が形成される。
【０１１７】
カバーキャップ１３０が開閉機構１２０の外周面で昇降可能にするガイド部１３０ａを含む。特に、カバーキャップ１３０が昇降可能に形成されるガイド部１３０ａは、開閉機構１２０の外部面に形成される周溝とカバーキャップ１３０の内部面に形成される周段部を含むか、開閉機構１２０の外部面に形成される周段部とカバーキャップ１３０の内部面に形成される周溝を含む。
【０１１８】
本実施例で開閉機構１２０の外周面は、カバーキャップ１３０が昇降できるように一定の長さの余裕幅（高さ）を有する周溝１２７を有する。
【０１１９】
また、開閉機構１２０の外周面に沿ってカバーキャップ１３０が空回りするように形成し、カバーキャップ１３０が開閉機構１２０の外周面を囲みながら重なるように形成することもできる。
【０１２０】
回し部１２２は使用者が手を使用して回し部１２２を作動することが可能な範囲の距離で開閉機構１２０上部終端から離隔されて構成される。
【０１２１】
カバーキャップ１３０は開閉機構１２０と連動して動作せず、カバーキャップ１３０の作動だけでは開閉機構１２０が開閉されない。
【０１２２】
開閉機構１２０の内部面に容器本体１１０と結合される回し螺子部１２１が形成される。
【０１２３】
開閉機構１２０の外壁が回し螺子部１２１の下部に延びる延長部１２０ａを形成することができる。また、回し部１２２は延長部１２０ａの表面に形成され得る。
【０１２４】
カバーキャップ１３０は開閉機構１２０に着脱できるように結合され得る。
【０１２５】
カバーキャップ１３０は開閉機構１２０に分離可能に結合されるかまたは開閉機構１２０に一体に具備され得る。
【０１２６】
したがって、本発明に係る開閉装置は容器本体１１０に開閉機構１２０とカバーキャップ１３０が分離可能に組み立てられた状態で提供される。
【０１２７】
使用時には、使用者（成人）が容器本体１１０に締結された開閉機構１２０の容器本体１１０の開放に必要な回し部１２２を掴んで回して容器本体１１０から開閉機構１２０を開閉することによって、容器本体１１０から内容物を取り出すことができる。カバーキャップ１３０が手の内側に位置しても開閉機構１２０の回し部１２２に指が届くのであればこれを開けることができる。
【０１２８】
一方、小児が開閉機構１２０を開放する場合には、小児の手の大きさが成人の手の大きさより相対的に小さいので、カバーキャップ１３０が手の平に触れる場合、開閉機構１２０まで指が届かないか、外周面だけを掴んで回すには力が不足して開閉機構１２０を開けることが難しい。すなわちカバーキャップ１３０を回すことができる構造で空回りするしかなく、嬰児や幼児のように興味によって開閉機構１２０を操作する場合には、かえって空回りするカバーキャップ１３０に対して関心を持ち、開閉装置の実質的な開放なしにカバーキャップ１３０の回し行為だけをすることができる。
このような理由で、危険を正しく認知することができない小児の知能と力、または精神的な障害がある成人の認知能力では意識的または無意識的に容易に開閉することができない開閉装置を提供することができる。
【０１２９】
一方、周溝１２７を適用する場合にはカバーキャップ１３０が開閉機構１２０を覆って開閉機構１２０が外部に露出されなく、カバーキャップ１３０を回すことができる構造ではカバーキャップ１３０が空回りする効果がある。一般使用者（成人）の場合、カバーキャップ１３０を上方に少しだけ持ち上げて開閉機構１２０を開けることができ、このとき、持ち上げられたカバーキャップ１３０によりカバーキャップ１３０上端と回し部との距離が遠くなり、指定された年齢層の小児の指の長さでは開閉機構１２０の回しのような開閉行為が難しくなる。また、開閉機構１２０の開閉はカバーキャップ１３０を持ち上げた時にのみ可能である。
【０１３０】
開閉使用をしない場合には、距離を確保することなくカバーキャップ１３０を下に下ろすと容器全体の長さが縮まり、開閉装置１００の収納と移動が容易である。
【０１３１】
特に、開閉機構１２０の周溝１２７は周段部１３１の高さより広く形成される。
【０１３２】
これにより、カバーキャップ１３０は開閉機構１２０の周溝１２７の幅だけ周段部１３１が昇降移動され、空回りすることができるようになる。
【０１３３】
合わせて、カバーキャップ１３０は周溝１２７の幅だけ昇降移動が可能であることにより、使用者はさらに開閉機構１２０を直接的に掴むことが難しくなる。
【０１３４】
未説明された図面符号は前述したものに代替する。
【０１３５】
本発明は図面に図示された実施例を参照して説明されたが、これは例示的なものに過ぎず、当該技術が属する分野で通常の知識を有した者であればこれから多様な変形および均等な他の実施例が可能であることが理解できるであろう。したがって、本発明の真の技術的保護範囲は下記の特許請求の範囲によって定められるべきである。
【手続補正２】
【補正対象書類名】特許請求の範囲
【補正対象項目名】全文
【補正方法】変更
【補正の内容】
【特許請求の範囲】
【請求項１】
容器本体に適用され、
前記容器本体の開閉に必要な回し部を具備した開閉機構と、前記回し部の作動を制御する回し制御部を含み、
前記回し部は、前記開閉機構の外部面に形成され使用者の接触操作時に回転が可能な構成であることを特徴とする、開閉装置。
【請求項２】
前記回し制御部は前記開閉機構の外側に設置されるカバーキャップであり、
前記カバーキャップは、前記開閉機構の外周面に沿って形成されるものの、前記開閉機構の開閉作動と分離され、前記カバーキャップの作動だけで開閉機構は開閉されず、
前記カバーキャップは、前記開閉機構の外周面に沿って移動可能に設置されることを特徴とする、請求項１に記載の開閉装置。
【請求項３】
前記カバーキャップが前記開閉機構の回し部の一部または全部を覆った場合、前記回し部の作動が遮断され、
前記回し部が露出するようにする場合、前記回し部を作動して前記容器本体が開放されることを特徴とする、請求項２に記載の開閉装置。
【請求項４】
前記回し部は、前記回し部を作動することが可能な範囲の距離で前記開閉機構上部終端から離隔され、
前記回し制御部は、前記開閉機構の上部終端で前記回し部の間に構成される、前記開閉機構の離隔外部面であることを特徴とする、請求項１に記載の開閉装置。
【請求項５】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面を含み、
前記回し制御部は前記カバーキャップが前記開閉機構の外周面に沿って前記カバーキャップの開放方向に移動すると、前記回し部に対する使用者の接近を制限して、前記回し部の作動を制限することを特徴とする、請求項２に記載の開閉装置。
【請求項６】
前記カバーキャップは前記開閉機構と連動して動作せず、
前記カバーキャップの作動だけでは前記開閉機構が開閉されないことを特徴とする、請求項２に記載の開閉装置。
【請求項７】
前記回し部は前記開閉機構の前記離隔外部面の下部側に位置することを特徴とする、請求項４に記載の開閉装置。
【請求項８】
前記開閉機構の内部面に容器本体と結合される回し螺子部が形成されることを特徴とする、請求項１に記載の開閉装置。
【請求項９】
前記回し制御部は、前記回し部の外部面に対して使用者が接近することを制御して前記回し部の作動を制限し、
前記回し制御部による前記回し部の作動制限によって前記開閉機構の開閉がなされないことを特徴とする、請求項２に記載の開閉装置。
【請求項１０】
前記開閉機構の外壁が前記回し螺子部の下部に延びて形成される延長部を含み、
前記回し部は前記延長部の表面に形成されることを特徴とする、請求項８に記載の開閉装置。
【請求項１１】
前記カバーキャップが前記開閉機構の外周面で昇降可能にするガイド部を含むことを特徴とする、請求項２に記載の開閉装置。
【請求項１２】
前記カバーキャップが昇降可能に形成される前記ガイド部は、
前記開閉機構の外部面に形成される周溝と前記カバーキャップの内部面に形成される周段部を含むか、
前記開閉機構の外部面に形成される周段部と前記カバーキャップの内部面に形成される周溝を含むことを特徴とする、請求項１１に記載の開閉装置。
【請求項１３】
前記カバーキャップは前記開閉機構と連動して動作せず、
前記カバーキャップの作動だけでは前記開閉機構が開閉されないことを特徴とする、請求項１１に記載の開閉装置。
【請求項１４】
前記開閉機構の外周面は前記カバーキャップが昇降可能に周溝が形成され、前記カバーキャップの内部面に周段部が形成されることを特徴とする、請求項２に記載の開閉装置。
【請求項１５】
容器本体と、
前記容器本体に具備され前記容器本体の開閉を制御する開閉装置を含み、
前記開閉装置は、前記容器本体の開閉に必要な回し部を具備した開閉機構と、前記回し部の作動を制御する回し制御部を含み、
前記回し部は、前記開閉機構の外部面に形成されて使用者の接触操作時に回転が可能な構成であり、
前記回し制御部は前記開閉機構の外部に設置されるカバーキャップを含み、
前記カバーキャップは、前記開閉機構の外周面に沿って形成されるものの、前記開閉機構と連動して動作せず、前記開閉機構の開閉作動と分離され、前記カバーキャップの作動だけで開閉機構は開閉されず、
前記カバーキャップは、前記開閉機構の外周面に沿って移動可能に設置されることを特徴とする、容器。
【請求項１６】
前記カバーキャップが、前記開閉機構の回し部の一部または全部を覆った場合、前記回し部の作動が遮断され、
前記回し部が作動可能に露出するように移動する場合、前記回し部の作動を通じて前記容器本体が開放されることを特徴とする、請求項１５に記載の容器。
【請求項１７】
前記回し部は、使用者が手を使用して前記回し部を作動することが可能な範囲の距離で前記開閉機構上部終端から離隔されて構成され、
前記回し制御部は、前記開閉機構の上部終端で前記回し部の間に構成され前記回し部から離隔されて位置する、前記開閉機構の離隔外部面を含み、
前記回し制御部は前記カバーキャップが前記開閉機構の外周面に沿って前記カバーキャップの開放方向に移動すると、前記回し部に対する使用者の接近を制限して、前記回し部の作動を制限することを特徴とする、請求項１５に記載の容器。
【請求項１８】
前記カバーキャップが前記開閉機構の外周面で昇降可能にするガイド部を含むことを特徴とする、請求項１５に記載の容器。
【請求項１９】
前記カバーキャップが昇降可能に形成される前記ガイド部は、
前記開閉機構の外部面に形成される周溝と前記カバーキャップの内部面に形成される周段部を含むか、
前記開閉機構の外部面に形成される周段部と前記カバーキャップの内部面に形成される周溝を含むことを特徴とする、請求項１８に記載の容器。
【請求項２０】
前記開閉機構の外周面は前記カバーキャップが昇降可能に周溝が形成され、前記カバーキャップの内部面に周段部が形成されることを特徴とする、請求項１８に記載の容器。
【手続補正３】
【補正対象書類名】図面
【補正対象項目名】全図
【補正方法】変更
【補正の内容】
【図１】
2017511770.tif 000013
【図２】
2017511770.tif 000014
【図３】
2017511770.tif 000015
【図４】
2017511770.tif 000016
【図５】
2017511770.tif 000017
【図６】
2017511770.tif 000018
【図７】
2017511770.tif 000019
【図８】
2017511770.tif 000020
【図９】
2017511770.tif 000021
【図１０】
2017511770.tif 000022
【国際調査報告】
2017511770.tif 000023
2017511770.tif 000024
2017511770.tif 000025